(57)【要約】【課題】  厨房家具の上部カウンターの下面と水槽の外面側とに設けられた構造部品などが外部から見えずに外観上の見栄えがよく、水槽における制音機能と結露防止機能を発揮する厨房家具を提供する。【解決手段】  システムキッチンのカウンター部２は、シンク３と、このシンクが一体的に設けられた上部カウンター２０と、シンクの少なくとも底部外面に設けられた制音用シート２２と、上部カウンターの下面およびシンクの外面をそれぞれ覆うように所定形状に形成された下部カウンター２５とを有し、カウンター部２全体が二重構造をなしている。【選択図】    図３
2006187357.tif 000002
【特許請求の範囲】
【請求項１】
水槽が設けられたカウンター部を有する厨房家具であって、
前記カウンター部は、前記水槽と、この水槽が一体的に設けられた上部カウンターと、前記水槽の少なくとも底部外面に設けられた制音部材と、前記上部カウンターの下面および前記水槽の外面をそれぞれ覆うように所定形状に形成された下部カウンターとを備え、前記カウンター部全体が二重構造をなしていることを特徴とする厨房家具。
【請求項２】
請求項１に記載の厨房家具であって、前記上部カウンターはステンレス製の板材により全体が一体的に形成され、前記下部カウンターは金属製または樹脂製の板材により全体が一体的に形成されていることを特徴とする厨房家具。
【請求項３】
請求項１または２に記載の厨房家具であって、前記カウンター部はキャビネットとは分離独立してその上部に配置され、前記カウンター部の下面は外部に対して露出していることを特徴とする厨房家具。
【発明の詳細な説明】
【技術分野】
【０００１】
本発明は、台所に設置されるシステムキッチンなど厨房家具にかかり、特に、この厨房家具のカウンター部の構造に関する。
【背景技術】
【０００２】
本出願人は、本発明の関連技術として、特許文献１（特開平１１−１３７３４９号公報）に記載の複合調理家具を提案している。複合調理家具は、たとえばシステムキッチンであり厨房家具の一つである。
この複合調理家具は、機能的であれば十分であるという近年のニーズに応えて、厨房家具として実用上最小限に簡易な構造を有している。そして、この複合調理家具は、カウンターとベースキャビネットとの結びつきをフリーにしてしかも構造部材を少なくし、これら構造部材を容易にジョイント可能にできる構造にしている。
これにより、保管，輸送，施工，配管を簡単にし、さらには、複合調理家具の基本機能のみを構造的に実現することによって、使い方を制約せずユーザーのニーズに合わせた組み合わせの製品を提供可能にしている。
【特許文献１】特開平１１−１３７３４９号公報
【発明の開示】
【発明が解決しようとする課題】
【０００３】
特許文献１に記載の複合調理家具は、カウンターの下面とシンク（水槽）の下面が露出している。すなわち、カウンターの下面においては、ステンレス板の非仕上げ面である裏面および補強用の芯材などが露出しており、また、シンクの下面においては結露防止カバーが露出している。そのため、リビングやダイニングなどからこの複合調理家具を見た場合の見栄えや制音性の向上が望まれていた。
【０００４】
本発明は、このような課題を解決するためになされたもので、厨房家具の上部カウンターの下面と水槽の外面側とに設けられた構造部品や上部カウンターの非仕上げ面などが外部から見えず外観上の見栄えがよく、水槽における制音機能と結露防止機能とを発揮することができる厨房家具を提供することを目的とする。
【課題を解決するための手段】
【０００５】
上述の目的を達成するため、本発明にかかる厨房家具は、水槽が設けられたカウンター部を有する厨房家具であって、前記カウンター部は、前記水槽と、この水槽が一体的に設けられた上部カウンターと、前記水槽の少なくとも底部外面に設けられた制音部材と、前記上部カウンターの下面および前記水槽の外面をそれぞれ覆うように所定形状に形成された下部カウンターとを備え、前記カウンター部全体が二重構造をなしている。
一つの実施態様にかかる厨房家具において、前記上部カウンターはステンレス製の板材により全体が一体的に形成され、前記下部カウンターは金属製または樹脂製の板材により全体が一体的に形成されているのが好ましい。
一つの好ましい例として、たとえば、前記カウンター部はキャビネットとは分離独立してその上部に配置され、前記カウンター部の下面は外部に対して露出している。
【発明の効果】
【０００６】
本発明の厨房家具は、上述のように構成したので、厨房家具の上部カウンターの下面と水槽の外面側とに設けられた構造部品や上部カウンターの非仕上げ面などが外部から見えずに外観上の見栄えがよく、水槽における制音機能と結露防止機能とを発揮することができる。
【発明を実施するための最良の形態】
【０００７】
下記の実施例では、厨房家具のカウンター部が、水槽と、この水槽が一体的に設けられた上部カウンターと、水槽の少なくとも底部外面に設けられた制音部材と、上部カウンターの下面および水槽の外面をそれぞれ覆うように所定形状に形成された下部カウンターとを備え、カウンター部全体が二重構造をなす構成である。
これにより、カウンター部の内部の構造部品や上部カウンターの非仕上げ面が外部から見えることがなくなるので、外観上の見栄えを向上させ且つ水槽における制音機能と結露防止機能とを発揮させるという目的を実現している。
【０００８】
本発明における厨房家具としては、台所に設置されるキッチン（たとえば、複合厨房家具の一種であるシステムキッチン）が通常の場合であるが、洗面化粧台であってもよい。下記の実施例では、カウンター部に水槽としてのシンクが設けられたシステムキッチンの場合を示しているが、洗面化粧台の場合には、カウンター部に水槽としての洗面ボールが設けられている。
【実施例】
【０００９】
以下、本発明にかかる一実施例を図１ないし図６を参照して説明する。
図１，図２は、それぞれ本発明にかかるシステムキッチンの斜視図，正面図である。図１，図２に示すように、厨房家具としてのシステムキッチン１は、水槽としてのシンク３が所定位置に設けられたカウンター部２を備えており、このシステムキッチン１に本発明が適用されている。
図示するシステムキッチン１は、いわゆる島形（アイランド形）のキッチンで、台所の壁面から離れた位置に設置されるタイプのものであるが、変形例として、いわゆる半島型のキッチンや、壁面から離れないで設置されるタイプのキッチンであってもよい。。
なお、説明の便宜上、図１中の符号Ｄ1，Ｄ2，Ｄ3，Ｄ4を、それぞれシステムキッチン１の左方，右方，前方，後方として説明する。
【００１０】
システムキッチン１のカウンター部２は、ユーザーが調理などの作業を行うのに都合の良い高さ位置に水平方向に配置され、平面視で所定形状（ここでは、矩形状）をなす天板である。
カウンター部２の上面は調理台（ワークトップ２８）になっており、カウンター部２には、必要に応じて、シンク３に加えてコンロユニットやボールなどが設けられる場合もある。
カウンター部２の下方にはキャビネット４が配置されている。キャビネット４は、フレーム６に支持されて床面５に設置され、全体が矩形状をなしている。フレーム６は、床面５上に設置される複数の脚部７を有している。カウンター部２とキャビネット４は、縦方向に設けられた複数の支柱８により連結されている。
キャビネット４の内部には調理用具，食材などを収納可能で、キャビネット４には食器洗い乾燥機９も取付けられ、システムキッチン１は、全体として複合厨房家具を構成している。
【００１１】
カウンター部２は、キャビネット４とは分離独立してその上部に配置され、カウンター部２の下面は外部に対して露出しているので、システムキッチン１における開放感が演出されている。
また、カウンター部２とキャビネット４を分離し、キャビネット４をフレーム６で支持しているので、システムキッチン１を含めた空間の広がりを損なうことなく、しかも足下まわりの空間をすっきりと見せることができ、且つ湿気の籠もりやすい台所の雰囲気に対してシステムキッチン１の周囲の風通しを良くして常に清潔に保つことができる。
【００１２】
システムキッチン１は、カウンター部２がキャビネット４に対して分離独立している場合を示したが、カウンター部２がキャビネットと分離せずにキャビネットの上部を構成するいわゆるキャビネット形キッチン（または、キャビネット形システムキッチン）であってもよい。この場合には、支柱８が不要になる。
また、システムキッチン１は、キャビネット４を備えている場合を示したが、キャビネット４がなくて、カウンター部２が、縦方向に長い複数の脚部などで直接支持されている場合であってもよい。
【００１３】
次に、本実施例にかかるカウンター部２の構成について説明する。
図３は、システムキッチン１のカウンター部２の分解斜視図、図４は、図３に示すカウンター部２を引っ繰り返した状態の分解斜視図、図５は図１のＶ−Ｖ線断面図、図６は図１のVI−VI線断面図である。
図１ないし図６に示すように、カウンター部２は、シンク３と、シンク３が一体的に設けられた上部カウンター２０と、シンク３の少なくとも底部外面２１に設けられた制音部材としての制音用シート２２と、上部カウンター２０の下面２３およびシンク３の外面２４をそれぞれ覆うように所定形状に形成された下部カウンター２５とを有している。その結果、カウンター部２の全体が二重構造をなしている。シンク３の底部外面２１は、シンク３の外面２４に含まれてその一部を構成している。
【００１４】
上部カウンター２０と下部カウンター２５の間には、木製または樹脂製の補強用の芯材２６が配置されている。芯材２６は、上部カウンター２０と下部カウンター２５との間で且つシンク３とシンクカバー部３２の部位を除いた所定位置に配置されて補強機能を発揮している。芯材２６は、ビスのみまたはビスと接着剤との併用により取付けられている。
この芯材２６を設けることによりカウンター部２の剛性を向上させて、カウンター部２自体の変形やこの変形時における音の発生などを防止している。
上部カウンター２０の下面側に位置する芯材２６や、シンク３の外面２４側に設けられた制音用シート２２などが、カウンター部２の内部に設けられた構造部品である。
上部カウンター２０は、その上面側（すなわち、ワークトップ２８やシンク３の内面）および縁部３０の外面が露出するので、これらの露出面が金属光沢を有する仕上げ面になっている。上部カウンター２０の裏面は、露出しないので仕上げ加工がされていない。
【００１５】
カウンター部２はその全体が二重構造をなしており、上部カウンター２０の非仕上げ面である下面（裏面）や、上部カウンター２０の下面側とシンク３の外面２４側とに設けられた構造部品（たとえば、芯材２６，制音用シート２２）は、露出しておらず外部からは見えないので、カウンター部２の外観上の見栄えがよい。
また、制音用シート２２は、シンク３の少なくとも底部外面２１に設けられているので、シンク３における制音機能と結露防止機能とを発揮する。
【００１６】
上部カウンター２０は、ステンレス（本実施例では、ＳＵＳ３０４）製の板材により全体が一体的に形成され、下部カウンター２５は、ステンレスなど金属（本実施例では、ＳＵＳ３０４）製または樹脂製の板材により全体が一体的に形成されている。
上部カウンター２０は、シンク３を含んで全体を同時に成形してもよいが、本実施例では、平面状のワークトップ２８の所定位置に切欠部２９を形成し、別体のシンク３を切欠部２９に嵌め込んで溶接により一体化している。
上部カウンター２０の矩形状の周囲全周では、９０度下方に曲げられ且つその下端部がさらに水平方向内方側に９０度曲げられた縁部３０が、全周に渡って一体的に折曲形成されている。
したがって、上部カウンター２０は、調理などの作業を行うための平面状のワークトップ２８と、所定位置に一体的に固定されたシンク３と、矩形状の外周全周が折曲形成された縁部３０とを有している。
【００１７】
下部カウンター２５は、ステンレス製の板材により形成され且つ上部カウンター２０の形状に対応して平面視で矩形状に形成された平面部３１と、シンク３の形状に対応してほぼ相似形に形成され、シンク３の外面２４のほぼ全体を覆うことが可能なシンクカバー部３２とを有している。
下部カウンター２５はステンレス製なので、シンクカバー部３２は別体で形成し、平面部３１の切欠部に係合させて平面部３１に溶接により固定して一体化している。下部カウンター２５の下面側が外方に露出するので、この下面側は仕上げ加工がされた仕上げ面になっている。
【００１８】
シンク３は、凹部３５が形成されて凹部３５側が低くなるように全体的に若干傾斜しているほぼ平板状の底部３７と、底部３７の外周縁全周から上方に一体的に立ち上がった側部３８と、側部３８の上端外周縁全周から水平方向外方に一体的に延びたフランジ部３９とを有している。このフランジ部３９で、ワークトップ２８に一体的に接続固定されている。
シンク３には、排水管が取付けられる排出口３３が形成されている。シンクカバー部３２には、排水管を貫通させるための開口部３４が、排出口３３に対応してその下方に形成されている。シンク３の所定位置には凹部３５が一体的に形成されており、この凹部３５のほぼ中央部に排出口３３が貫通形成されている。
【００１９】
制音機能と結露防止機能とを有する制音用シート２２は、ゴムと金属（または、ゴムのみ）により構成されて、シンク３の底部外面２１に接着剤で固着されている。制音用シート２２は、凹部３５を避けてシンク３の底部外面２１に貼り付けるために、複数枚（ここでは、三枚）に分割した状態で使用されている。なお、一枚物で貼り付け可能であれば、制音用シート２２を全体的に一枚物で一体成形した場合であってもよい。
シンクカバー部３２が、シンク３の外面２４のほぼ全体を覆っており、シンク３とシンクカバー部３２との間に間隙スペースＳがあるので、シンクカバー部３２も結露防止機能を発揮している。
シンク３では衝撃音が発生する場合があるが、この発生する衝撃音の例としては、たとえば、蛇口から水をシンク３に吐出したときの音や、食器など硬いものをシンク３に落下させたときの音や、シンク３にいきなり熱湯を流したり熱湯と冷水を交互に流すことによりシンク３が熱変形するときに発生する音などがある。
【００２０】
本実施例で使用する制音用シート２２は、シンク３の底部外面２１に固着するための弾性層と、弾性層の外面側の拘束層とを貼り合わせた複数層構造（ここでは、二層構造）をなしている。
弾性層は、シンク３が衝撃などで振動すると、シンク３と一緒に変形動作してシンク３の振動を低減させる制振機能を発揮する。拘束層は、弾性層が振動で変形する動作を拘束する機能を有している。
弾性層自体は、粘着弾性層の上面と下面にそれぞれ粘着層を貼り付けた三層構造で且つ厚みが約６mmの板材であり、その素材は、硬質または軟質のゴム（好ましくは、ブチルゴム），合成樹脂，無機充填材および軟化材などの混合物からなっている。
拘束層は、ステンレス（たとえば、ＳＵＳ３０４）製で厚みが約０.１mmの金属板である。なお、拘束層は、他の金属製（たとえば、アルミニウム製）または樹脂製の板材であってもよい。
弾性層を構成するゴムなどの制音材料は、内部ロスが大変大きい材料であり、振動伝達部位に直接貼り付けることにより、振動エネルギーを熱エネルギーに変換し、共振時の振動やこれに伴い発生する固体伝播音を低減することができる。
【００２１】
この制音用シート２２は、拘束層を設けて弾性層の変形動作を拘束することにより、「ずり変形」を生ぜしめエネルギー吸収を行うことで、振動さらには固体伝播音の低減を図っており、衝撃音などを効果的に低減している。
なお、制音用シートとしては、弾性層のみからなり拘束層を有しない非拘束タイプのものを使用してもよいが、拘束層を有する拘束タイプの制音用シート２２を使用すれば、非拘束タイプと比べて、制音用シート２２全体の厚みを薄くして軽量化できるので、接着部の負担が軽減されるので好ましい。
【００２２】
カウンター部２を製造する際には、上部カウンター２０と下部カウンター２５との間に、芯材２６や制音用シート２２などの構造部品を配置する。その後、下部カウンター２５を、その全周に位置する接合部３６で溶接（または、ビスなど締結部材）により上部カウンター２０に固定する。
その結果、二重構造をなすカウンター部２が所定形状に構成されて、複数の支柱８を介してキャビネット４の上部に位置決め固定可能になる。
【００２３】
本実施例のカウンター部２は、上部カウンター２０と下部カウンター２５の素材を共にステンレス製にしたので、外観上見栄えがよく、耐食性も良好で且つ十分な剛性を発揮する。
また、上部カウンター２０と下部カウンター２５の両者を、同種金属であるステンレス（ＳＵＳ３０４）製にしたので、異種金属の電食による錆の発生を防止することができる。
下部カウンター２５には、鉄板またはその他合金製の板材を使用することもできるが、樹脂製の板材を使用すれば、シンクカバー部３２を含めて全体を一度に一体成形することができ、下部カウンター２５の製造とカウンター部２の組立作業が容易になる。
【００２４】
制音用シート２２をシンク３の底部外面２１のみに貼り付けた場合を示したが、底部外面２１からシンク３の側部外面まで（すなわち、外面２４の全体を覆うように）制音用シート２２を設ければ、制音用シート２２が制音機能と結露防止機能をより効果的に発揮するので好ましい。
芯材２６や制音部材（ここでは、制音用シート２２）はカウンター部２の外部からは全く見えないので、芯材２６と制音部材は、その外観を気にすることなく、それぞれの機能を最も発揮するのに最適な素材や形状のものを選択し設計することが可能になる。
【００２５】
なお、カウンター部２は、シンク３の部分も二重構造なので、このシンクの外面２４の部分に、制音機能を有する制音部材としての発泡スチロールなどを注入することにより充填することができる。
すなわち、本実施例では、制音部材として制音用シート２２を使用する場合を示したが、シンク３とシンクカバー部３２とで囲まれた間隙スペースＳに樹脂製発泡材（たとえば、発泡スチロール）などの樹脂を充填してもよい。
この場合は、樹脂製発泡材をシンク３の底部外面２１の部分のみに充填しても制音機能と結露防止機能を発揮するが、シンク３の外面２４の全体を樹脂製発泡材で覆えば、制音機能と結露防止機能がより強化されるので好ましい。
【００２６】
カウンター部２において、上部カウンター２０の下面およびシンク３の外面２４は下部カウンター２５により覆われており、上部カウンター２０と下部カウンター２５の外面（露出面）は仕上げ加工されている。
したがって、カウンター部２を上下左右前後のどの方向から見ても常に綺麗な仕上げ面が見え、且つカウンター部２の内部に収納された芯材２６や制音用シート２２などの構造部品は外部から見えないので、外観上の見栄えがよい。
また、カウンター部２を二重構造にして、下部カウンター２５でシンク３の外面２４を覆うようにしたので、結露防止機能が発揮されることになり、従来必要であった結露防止カバーは不要になり、構成が簡素になる。さらに、シンク３に制音用シート２２を設けたので、結露防止機能がより効果的に発揮される。
カウンター部２は、上下方向の厚みは薄いので二重構造であることは外観上はほとんど分からず、あたかも一枚板のような重厚感と高級感を発揮している。
【００２７】
上述のように、本発明では、カウンター部２の全体を二重構造にしたので、上部カウンター２０の下面側およびシンク３の外面２４側に設けられた芯材２６や制音用シート２２などの構造部品や、上部カウンター２０の仕上げ加工をしていない下面などが外部から見えることがなくなり、外観上の見栄えがよい。
シンク３の少なくとも底部外面２１に設けられた制音部材（ここでは、制音用シート２２）が制音機能を発揮するので、システムキッチン１を静音化できる。
このようにして、本発明では、カウンター部２を含めたシステムキッチン１全体の美しい外観と静音化との両立を実現することができる。
【００２８】
なお、本発明を、キャビネット形キッチンまたはキャビネット形システムキッチンに適用した場合には、キャビネットの引き出しまたは扉を開けたときに、カウンター部２の内部の構造部品や非仕上げ面が直接見えないので、カウンター部２自体の見栄えがよい。
【００２９】
以上、本発明の一実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３０】
本発明は、本実施例のようにカウンター部がキャビネットから分離独立したシステムキッチンのほか、カウンター部がキャビネットの一部を構成するキャビネット形キッチン（または、キャビネット形システムキッチン）や、複合化されていないキッチンに適用する場合が多いが、応用例として、カウンター部を有する厨房家具としての洗面化粧台にも適用可能である。
【図面の簡単な説明】
【００３１】
【図１】図１ないし図６は本発明の一実施例を示す図で、図１はシステムキッチンの斜視図である。
【図２】前記システムキッチンの正面図である。
【図３】前記システムキッチンのカウンター部の分解斜視図である。
【図４】図３に示すカウンター部を引っ繰り返した状態の分解斜視図である。
【図５】図１のＶ−Ｖ線断面図である。
【図６】図１のVI−VI線断面図である。
【符号の説明】
【００３２】
１      システムキッチン（厨房家具）
２      カウンター部
３      シンク（水槽）
４      キャビネット
２０    上部カウンター
２１    底部外面
２２    制音用シート（制音部材）
２４    外面
２５    下部カウンター
３７    底部
【図１】
2006187357.tif 000003
【図２】
2006187357.tif 000004
【図３】
2006187357.tif 000005
【図４】
2006187357.tif 000006
【図５】
2006187357.tif 000007
【図６】
2006187357.tif 000008